(57)【要約】【課題】  吐出液体の吐出圧力で弾性ノズル部材の吐出口を弾性力に抗して開口可能に設けたものにおいて、ノズル部材の疲労で吐出口が変形したり、あるいは弾性力が低下しても、液体の吐出後、ノズル部材の吐出口が確実に閉塞する吐出構造を提供することにある。【解決手段】  弾性変形可能なノズル部材２０の前端部に形成された吐出口２２を、吐出流体の圧力により弾性に抗して開口可能に設けた吐出構造であって、ノズル部材２０内に、吐出口２２を閉塞する方向へ付勢する弾性変形可能な補助部材３０を設けた。【選択図】  図１
2010006447.tif 000002
【特許請求の範囲】
【請求項１】
弾性変形可能なノズル部材２０の前端部に形成された吐出口２２を、吐出液体の圧力により弾性に抗して開口可能に設けた吐出構造であって、
前記ノズル部材２０内に、前記吐出口２２を閉塞する方向へ付勢する弾性変形可能な補助部材３０、５０を設けたことを特徴とする吐出構造。
【請求項２】
前記補助部材３０、５０は、前記ノズル部材２０の前端部内面に突設された支承部２３に係合されていることを特徴とする請求項１記載の吐出構造。
【請求項３】
前記支承部２３は、前記吐出口２２の周囲から後方へ突出する一対の板体からなることを特徴とする請求項２記載の吐出構造。
【請求項４】
前記補助部材３０は、前記支承部２３へ挟持させたＵ字状の挟持部３１を備えていることを特徴とする請求項２又は３記載の吐出構造。
【請求項５】
前記補助部材３０は、前記Ｕ字状の挟持部３１の屈曲部分から後方へ突出して、前記ノズル部材へ結合される保持部３２を備えていることを特徴とする請求項４記載の吐出構造。
【請求項６】
前記補助部材５０は、前記ノズル部材２０を保持するノズルヘッド１０の流出孔１３周囲から前方へ突出して前端部を前記支承部２３へ挟持させた挟持体からなることを特徴とする請求項２又は３記載の吐出構造。
【請求項７】
前記吐出口はスリットからなることを特徴とする請求項１ないし６のいずれか１つに記載の吐出構造。
【発明の詳細な説明】
【技術分野】
【０００１】
本発明は、吐出液体の圧力によりノズル部材の吐出口を弾性に抗して開口することで、液体を吐出可能に設けた吐出構造に関する。
【背景技術】
【０００２】
ノズルヘッドから突出するノズルを弾性材で形成して、ノズル先端部の吐出口を、液体の吐出圧力で弾性に抗して開口可能に設けることにより、液体を吐出可能にした吐出容器が知られている。
【発明の開示】
【発明が解決しようとする課題】
【０００３】
しかしながらこのような従来の吐出容器では、吐出を繰り返すうちにノズルの吐出口部分が疲労等により変形したり、あるいは弾性力が低下して、吐出後、確実に閉塞しないおそれがあった。
【０００４】
本発明の目的は、液体の吐出後、ノズル部材の吐出口が確実に閉塞する吐出構造を提供することにある。
【課題を解決するための手段】
【０００５】
本発明は、弾性変形可能なノズル部材２０の前端部に形成された吐出口２２を、吐出液体の圧力により弾性に抗して開口可能に設けた吐出構造であって、
前記ノズル部材２０内に、前記吐出口２２を閉塞する方向へ付勢する弾性変形可能な補助部材３０、５０を設けたことを特徴とする。
【０００６】
また、本発明は、前記補助部材３０、５０は、前記ノズル部材２０の前端部内面に突設された支承部２３に係合されていることを特徴とする。
【０００７】
さらに、本発明は、前記支承部２３は、前記吐出口２２の周囲から後方へ突出する一対の板体からなることを特徴とする。
【０００８】
さらに、本発明は、前記補助部材３０は、前記支承部２３へ挟持させたＵ字状の挟持部３１を備えていることを特徴とする。
【０００９】
さらに、本発明は、前記補助部材３０は、前記Ｕ字状の挟持部３１の屈曲部分から後方へ突出する保持部３２を備えていることを特徴とする。
【００１０】
さらに、本発明は、前記補助部材５０は、前記ノズル部材２０を保持するノズルヘッド１０の流出孔１３周囲から前方へ突出して前端部を前記支承部２３へ挟持させた挟持体からなることを特徴とする。
【００１１】
さらに、本発明は、前記吐出口はスリットからなることを特徴とする。
【発明の効果】
【００１２】
本発明は、ノズル部材の吐出口を閉塞する方向へ付勢する補助部材を設けたので、液体の吐出を繰り返すうちにノズル部材が疲労して吐出口が変形したり、あるいは弾性力が低下することがあっても、液体の吐出後、吐出口を確実に閉塞させることができる。
【発明を実施するための最良の形態】
【００１３】
以下、本発明を、図面に示す実施の形態を参照しながら説明する。なお、説明の便宜上、図１において左右方向を前後方向とする。
図１において、１は上下動自在なステムで、容器(図示せず)の開口部へ装着されたポンプ(図示せず)のシリンダ内へ上下動自在に嵌合されたピストンから起立していて、ピストンの下動でシリンダから流出する加圧液体が流入可能に形成されている。
【００１４】
１０は押下げ可能なノズルヘッドで、ヘッド頂壁１０ａから垂下する垂下筒１０ｂの下部をステム１の上部外面へ嵌合させている。また、垂下筒１０ｂの上部前面から後記ノズル部材２０嵌合用の嵌合筒１２を前方へ突設するとともに、該嵌合筒１２で囲まれた垂下筒１０ｂ部分に流出孔１３を形成している。該流出孔１３の前部１３ａは前方へ向かうに連れて内径が漸次増大する円錐台状に形成されている。
【００１５】
２０はノズル部材で、前面が前方へ膨出する弯曲面で閉塞された前部小内径の円筒体２１の後部を嵌合筒１２内へ嵌合させるとともに、円筒体２１の前端面に吐出口２２を形成し、さらに、円筒体２１の前端面から後方へ支承部２３を突設している。
【００１６】
ノズル部材２０は弾性変形可能な材質で形成されており、吐出口２２はノズルヘッド１０からノズル部材２０内へ流入した液体の吐出圧力で開口するようになっている。吐出口２２の形状には特に限定はないが、左右方向または上下方向へ長いスリット状であるのが好ましい。
【００１７】
支承部２３は吐出口２２の周囲からノズル部材２０の前部内へ後方突出する上下一対の板体で形成されている。２５は円筒体２１の前部外面に形成されたフランジで、嵌合筒１２の前面へ当接されている。なお、吐出口２２が上下方向への縦長スリットから形成されている場合には、一対の板体は吐出口２２の左右から突出させる。
【００１８】
３０は弾性変形可能な補助部材で、該補助部材は吐出口２２を閉鎖する方向へ付勢するためのものであって、支承部２３へ前端部を挟持させたＵ字状の挟持部３１と、該挟持部３１の屈曲部分から後方へ突出する保持部３２とから形成されている。
【００１９】
保持部３２は垂直板３２ａから形成されており、該垂直板３２ａの後端部には上下左右方向への２対の取付部３２ｂ、３２ｃが突設されていて、各取付部３２ｂ、３２ｃの先端部はノズル部材２０へ食い込むようにして結合されている。さらに、保持部３２の後端は弯曲状に切り欠かれていて流出孔１３前面へ対向している。
【００２０】
次に作用について説明する。
液体が吐出されない状態では、吐出口２２は閉鎖されている。吐出のためにノズルヘッド１０を押下げると、加圧された吐出液体が流出孔１３を介してノズル部材２０内へ流入する。流入した吐出液体はノズル部材２０と補助部材３０とに吐出圧力を及ぼすことでこれらの弾性に抗して横長スリット状の吐出口２２を上下に開口させて吐出する。
【００２１】
吐出液体が吐出口２２から吐出して、ノズル部材２０内の吐出液体による圧力が減少すると、ノズル部材２０と補助部材３０との弾性による復元力で吐出口２２が閉鎖される。なお、吐出口２２が左右方向への横長スリットからなる場合には、補助部材３０は上下方向から吐出口２２を閉鎖方向へ付勢し、他方、吐出口２２が上下方向への縦長スリットからなる場合には、補助部材３０は左右方向から吐出口２２を閉鎖方向へ付勢する。
【００２２】
吐出を繰り返すうちに、ノズル部材２０の疲労により吐出口２２が変形したり、あるいは弾性力が低下して、ノズル部材単独の弾性力では吐出口２２が確実に閉鎖されなくなるおそれがあるが、補助部材３０が付加されているため、吐出口２２は確実に閉鎖される。
【００２３】
一方、補助部材３０の弾性が必要以上に大きいと、吐出液体の圧力では吐出口２２が開口できないことになる。したがって、疲労した状態でのノズル部材２０の弾性力と弾性部材３０の弾性力との和は、吐出液体の圧力よりも小さく、かつ、吐出口２２を確実に閉鎖できるに足りるだけの値であることが必要である。
【００２４】
図３は第２の実施形態を示す。図１および図２に示す第１実施形態とは補助部材の構成において相違する。すなわち、本実施形態における補助部材５０はノズルヘッド１０の流出孔１３の周囲から前方へ突出して、前端部が支承部２３へ挟持可能なように、前端部の左右両部に前面開口の割溝５１が形成された筒状体から構成されている。なお、吐出口２２が上下方向への縦長スリットからなる場合には、補助部材３０は左右方向から吐出口２２を閉鎖方向へ付勢可能なように割溝５１は筒状体前端部の上下両部に形成する。その他の構成は第１実施形態と同一であるから、説明を省略する。
【図面の簡単な説明】
【００２５】
【図１】本発明に係る吐出構造の第１実施形態を示す縦断面図である。
【図２】補助部材の斜視図である。
【図３】第２実施形態に係る吐出構造の縦断面図である。
【符号の説明】
【００２６】
１０  ノズルヘッド
１３  流出孔
２０  ノズル部材
２２  吐出口
２３  支承部
３０、５０  補助部材
３１  挟持部
３２  保持部
【図１】
2010006447.tif 000003
【図２】
2010006447.tif 000004
【図３】
2010006447.tif 000005